(57)【特許請求の範囲】
【請求項１】
略円形の天板部と、該天板部の周縁より外方にある肩部と、該肩部より下方に延びる円筒部と、該円筒部の内径方向に突出する複数のラグとを有するキャップを備え、外周面に複数の係合スレッドが設けられ、上方に開口する略円筒状の口部を有するキャップ付き容器であって、
前記キャップは、前記肩部が前記天板部の周縁から拡径しながら下降して形成された傾斜部を介して連なり、該傾斜部の下端縁から下降しながら拡径して形成され、前記口部の上端頂部の位置に対応する略水平の前記横肩部と、該横肩部の外周縁から拡径して形成され、該口部の上端側壁の位置に対応する縦肩部とを有し、前記円筒部が該縦肩部の下端縁から拡径して形成された拡径部の外周縁より下方に延びて形成され、前記キャップが該口部にラグと係合スレッドの係合により装着されたとき、該横肩部及び該縦肩部の裏側に該口部の上端頂部及び上端側壁に圧接されるシール材が設けられていることを特徴とするキャップ付き容器。
【発明の詳細な説明】
【０００１】
【発明の属する技術分野】
本発明は、キャップが口部に着脱されることで密封・開封されるキャップ付き容器に関し、特に、炭酸飲料水等を内容物とするために内部が陽圧となりうるキャップ付き容器に関する。
【０００２】
【従来の技術】
炭酸飲料水や清涼飲料水等の販売に際し、キャップにより密封されるキャップ付き容器（以下、適宜「容器」という。）が広く利用されている。この容器は、略有底円筒状の胴体と、胴体に縮径されながら連設され上方に開口した略円筒状の口部と、口部の外周面に設けられたオスネジ部とより構成されている。また、この容器は、天板部と、天板部の周縁より外方にある肩部と、肩部より下方に延設された円筒部と、円筒部の内周面に形成されたメスネジ部とより構成され、肩部の裏側に設けられたシール材を有する略有天円筒状のキャップを備えている。前記構成の容器は、オスネジ部及びメスネジ部を介してキャップが口部に螺着され、シール材が肩部に圧迫されて口部の上端頂部に圧接することで密封される。一方、前記構成の容器は、密封状態からキャップが口部に対して開封方向に回転され、オスネジ部及びメスネジ部の螺進に伴ってキャップが上昇し、シール材が口部の上端頂部から離反することにより密封が解除される。
【０００３】
ところで、容器の口部に直接口をつけたときの内容物の飲みやすさや、コップへの内容物の注ぎやすさ等を考慮すると、口部を拡径してある程度の広口とすることが好ましい場合がある。しかしながら、口部を広口とすると、口部のオスネジ部とキャップのメスネジ部との螺着時の接触面積が大きくなるため、容器の開封に比較的大きな力を要することとなり、使い勝手が悪くなるおそれがある。
【０００４】
そこで、オスネジ部に代えて口部の外周面に複数の係合スレッドを設け、メスネジ部に代えてキャップの内周面に複数のラグを設け、複数のラグを複数の係合スレッドに係合させ、キャップの天板部により口部を閉塞することで密封されるように構成された容器を用いることが考えられる。かかる構成の容器においては、口部の係合スレッドとキャップのラグとの接触面積が小さい。従って、密封状態からキャップをわずかな力で回転させるだけで、ラグと係合スレッドとの係合が解除されて密封状態が解除される。
【０００５】
しかし、容器の口部が広口とされているため、容器内に炭酸飲料水が入れられている等の理由によって容器内が陽圧となると、キャップの天板部及びこれに連続する肩部が容器内の圧力を受けて持ち上げられやすい。従って、この場合、ラグと係合スレッドとの係合が維持されることでキャップが口部から外れることはないものの、天板部の裏側に設けられたシール材も上方に持ち上げられるおそれがある。そして、シール材と口部の上端部との間に隙間が生じ、炭酸ガス等の内容物が当該隙間から容器外へ抜け出るおそれがある。
【０００６】
【発明が解決しようとする課題】
かかる背景に鑑みて、本発明は容器内が陽圧となっても密封性を確実に維持することができるキャップ付き容器を提供することを解決課題とする。
【０００７】
【課題を解決するための手段】
本発明は、略円形の天板部と、該天板部の周縁より外方にある肩部と、該肩部より下方に延びる円筒部と、該円筒部の内径方向に突出する複数のラグとを有するキャップを備え、外周面に複数の係合スレッドが設けられ、上方に開口する略円筒状の口部を有するキャップ付き容器に関する。
【０００８】
前記課題を解決するための本発明のキャップ付き容器は、前記キャップは、前記肩部が前記天板部の周縁から拡径しながら下降して形成された傾斜部を介して連なり、該傾斜部の下端縁から下降しながら拡径して形成され、前記口部の上端頂部の位置に対応する略水平の前記横肩部と、該横肩部の外周縁から拡径して形成され、該口部の上端側壁の位置に対応する縦肩部とを有し、前記円筒部が該縦肩部の下端縁から拡径して形成された拡径部の外周縁より下方に延びて形成され、前記キャップが該口部にラグと係合スレッドの係合により装着されたとき、該横肩部及び該縦肩部の裏側に該口部の上端頂部及び上端側壁に圧接されるシール材が設けられていることを特徴とする。
【０００９】
前記構成の容器によれば、キャップにより口部が閉蓋されたとき、複数のラグが複数の係合スレッドに係合し、シール材が少なくとも口部の上端頂部に全周にわたり圧接することで密封される。
【００１０】
かかる密封状態において、容器内が陽圧になっている場合、キャップの天板部が上向きに容器内の圧力を受ける。このとき、肩部の横肩部も傾斜部を介して天板部に近い内周縁側から上向きの力を受ける。また、キャップが拡径部を介してラグが係合スレッドに係合しているため、かかる上向きの力に抗じて横肩部はその内周縁側が上昇し、外周縁側が下降するように傾斜する力を受ける。これにより、縦肩部がキャップの内径方向に力を受け、シール材が口部の上端側壁に向かって圧接する。従って、容器内の圧力によってキャップの天板部及び横肩部が上昇し、シール材が口部の上端頂部から離反しても、容器の密封性が確実に確保される。
【００１１】
また、前記キャップにおいて、前記横肩部が前記天板部の下方に段差を介して形成されていることが好ましい。かかる段差を介しているため、容器内の圧力を受けることで生じた天板部の変形の影響が緩和されて直接的に横肩部に及ぶことが抑止される。従って、横肩部によるシール材の口部の上端頂部への圧接を確実に維持し、容器の密封性を向上させることができる。
【００１２】
【発明の実施の形態】
ここで、本発明のキャップ付き容器の実施形態について図面を用いながら説明する。図１は本実施形態のキャップ付き容器の要部の構成説明図であり、図２は本実施形態のキャップ付き容器の要部の機能説明図である。
【００１３】
図１に示す本実施形態のキャップ付き容器は金属缶体であり、同じく金属よりなる略有天円筒状のキャップ１を備え、上方に開口する略円筒状の口部２を有している。キャップ１は、略円形の天板部３と、天板部３の周縁から拡径しながら下降して形成された傾斜部４と、傾斜部４の下端縁からやや下降しながら拡径して形成された略水平な横肩部５と、横肩部５の外周縁からやや拡径しながら下方に延びて形成された縦肩部６と、縦肩部６の下端縁から拡径して形成された拡径部７と、拡径部７の外周縁より下方に延びて形成された円筒部８と、円筒部８の下端部から内径方向に突出して形成された複数のラグ９とから一体に構成されている。横肩部５及び縦肩部６がキャップ１の肩部を構成する。また、図２に示すように天板部３、傾斜部４、横肩部５及び縦肩部６の裏面を全体的に覆うエラストマー層１０ａ及びエラストマー層１０ａの下面を全体的に覆うポリエチレン層１０ｂより形成された二層構造のシール材１０が設けられている。
【００１４】
口部２は、その上端部が外側に巻き込まれてカール状に形成され、これにより略水平の上端頂部１１と、上端頂部１１の外周縁から略下方に延びる上端側壁１２とが形成されている。また、口部２は、カール状に形成された部分のうち内側にある部分の下縁から拡径する拡径部１３と、拡径部１３の外周縁から下方に延びる円筒部１４とを有している。円筒部１４の外周面には、水平方向に延びる複数の係合スレッド１５と、係合スレッド１５の右端部から右斜め上方に傾斜してから右方向に水平に延びる案内スレッド１６と、係合スレッド１５の左端部より下方に延びるストッパ１７とが外径方向に突出して設けられている。
【００１５】
前記構成の容器によれば、キャップ１が口部２に対して閉蓋方向（図中左）に回転されると、ラグ９が案内スレッド１６の下端縁に沿って移動し、さらに係合スレッド５の下端縁に沿って左に水平移動した後、ストッパ１７の右端縁によってその水平移動が規制される。そして、図１に示すようにシール材１０が、キャップ１の横肩部５により下方に圧迫されて口部２の上端頂部１１に圧接するとともに、キャップ１の縦肩部６により内径方向に圧迫されて口部２の上端側壁に圧接することで容器が密封される。
【００１６】
かかる密封状態にあって、容器内に炭酸飲料水が詰められている等の原因により容器内が陽圧になっている場合、図２に矢印１で示すようにキャップ１の天板部３が上向きに容器内の圧力を受ける。このとき、図２に矢印２で示すように天板部３が上向きの力を受け、横肩部５も傾斜部４を介して天板部３に近い内周縁側において上向きの力を受ける。また、キャップが拡径部７を介してラグ９が係合スレッド１５に係合しているため、かかる上向きの力に抗じて横肩部５はその内周縁側が上昇し、外周縁側が下降するように傾斜する力を受ける。これにより、図２に矢印３で示すように縦肩部６がキャップ１の内径方向に力を受け、シール材１０が口部２の上端側壁１２に向かって圧接する。従って、容器内の圧力によって天板部３及び横肩部５が上昇し、シール材１０が口部２の上端頂部１１から離反しても、容器の密封性が確実に維持される。
【００１８】
また、エラストマー層１０ａの材料としては、架橋した天然ゴムや合成ゴム、熱可塑性ウレタンゴム、スパンデックスやポリカーボネート弾性樹脂、スポンジゴムなど、常温付近で大きなゴム弾性を示す高分子物質を用いることができる。さらに、ポリエチレン層１０ｂの材料としては、ポリオレフィン類、ポリエステル類、エラストマー類を用いることができる。また、シール材１０は単層構造又は複層構造のいずれでもよく、複層構造の場合はキャップ１に近い層に軟質材を用い、口部２に近い層に硬質材を用いることが好ましい。
【図面の簡単な説明】
【図１】本実施形態のキャップ付き容器の要部の構成説明図
【図２】本実施形態のキャップ付き容器の要部の機能説明図
【符号の説明】
１‥キャップ、２‥口部、３‥天板部、５‥横肩部（肩部）、６‥縦肩部（肩部）、８‥円筒部、９‥ラグ、１０‥シール材、１１‥上端頂部、１２‥上端側壁、１５‥係合スレッド
【図１】
0004443698.tif 000002
【図２】
0004443698.tif 000003